(57)【要約】【課題】ＩＰ変換を伴う表示データ生成処理において、ブランキング区間のデータを劣化なく表示可能とした装置および方法を実現する。【解決手段】インタレース信号に含まれるブランキング区間をプログレッシブ信号に変換する際、インタレース信号に含まれない補間フィールドの画素値をインタレース信号に含まれるデータのコピー値または黒画素値として設定するＩＰ変換処理を実行する。例えば補間フィールドをカレントラインの繰り返しラインとして設定するラインリピート方式、補間フィールドを黒画素ラインとして設定する擬似インタレース方式などにより、一般的な補間処理によって生成される擬似画素を含まないプログレッシブデータを生成し、ブランキング区間データを確認可能な表示データを生成する。【選択図】図７
2007316459.tif 000002
【特許請求の範囲】
【請求項１】
インタレース信号に含まれるブランキング区間のデータ表示処理を実行する画像表示装置であり、
インタレース信号に含まれる映像データ記録区間であるアクティブ区間をプログレッシブ信号に変換するアクティブ区間ＩＰ変換部と、
インタレース信号に含まれるブランキング区間をプログレッシブ信号に変換するブランキング区間ＩＰ変換部と、
前記アクティブ区間ＩＰ変換部において生成されたアクティブ区間対応プログレッシブ信号と、前記ブランキング区間ＩＰ変換部において生成されたブランキング区間対応プログレッシブ信号を入力し、アクティブ区間およびブランキング区間双方のプログレッシブ信号を含む表示データを生成して出力するマルチプレクサと、
前記マルチプレクサの出力を表示する表示部とを有し、
前記ブランキング区間ＩＰ変換部は、
インタレース信号の各フィールドデータに含まれない補間フィールドの画素値をインタレース信号に含まれるデータのコピー値または黒画素値として設定するＩＰ変換処理を実行してブランキング区間対応プログレッシブ信号を生成する構成であることを特徴とする画像表示装置。
【請求項２】
前記ブランキング区間ＩＰ変換部は、
現行フィールドに隣接する補間フィールドに現行フィールドを繰り返して設定するラインリピート方式に従ったＩＰ変換処理を実行してブランキング区間対応プログレッシブ信号を生成する構成であることを特徴とする請求項１に記載の画像表示装置。
【請求項３】
前記ブランキング区間ＩＰ変換部は、
現行フィールドに隣接する補間フィールドに黒画素を設定する擬似インタレース方式に従ったＩＰ変換処理を実行してブランキング区間対応プログレッシブ信号を生成する構成であることを特徴とする請求項１に記載の画像表示装置。
【請求項４】
前記ブランキング区間ＩＰ変換部は、
現行フィールドに隣接する補間フィールドに、先行フィールドのデータを設定するＩＰ変換処理を実行してブランキング区間対応プログレッシブ信号を生成する構成であることを特徴とする請求項１に記載の画像表示装置。
【請求項５】
前記ブランキング区間ＩＰ変換部は、
現行フィールドに隣接する補間フィールドに、現行フィールドと同一フレームの異なるフィールドのデータを設定するＩＰ変換処理を実行してブランキング区間対応プログレッシブ信号を生成する構成であることを特徴とする請求項１に記載の画像表示装置。
【請求項６】
インタレース信号に含まれる映像データ記録区間であるアクティブ区間をプログレッシブ信号に変換するアクティブ区間ＩＰ変換部と、
インタレース信号に含まれるブランキング区間をプログレッシブ信号に変換するブランキング区間ＩＰ変換部と、
前記アクティブ区間ＩＰ変換部において生成されたアクティブ区間対応プログレッシブ信号と、前記ブランキング区間ＩＰ変換部において生成されたブランキング区間対応プログレッシブ信号を入力し、アクティブ区間およびブランキング区間双方のプログレッシブ信号を含む表示データを生成して出力するマルチプレクサとを有し、
前記ブランキング区間ＩＰ変換部は、
インタレース信号の各フィールドデータに含まれない補間フィールドの画素値をインタレース信号に含まれるデータのコピー値または黒画素値として設定するＩＰ変換処理を実行してブランキング区間対応プログレッシブ信号を生成する構成であることを特徴とする信号処理装置。
【請求項７】
前記ブランキング区間ＩＰ変換部は、
現行フィールドに隣接する補間フィールドに現行フィールドを繰り返して設定するラインリピート方式に従ったＩＰ変換処理を実行してブランキング区間対応プログレッシブ信号を生成する構成であることを特徴とする請求項６に記載の信号処理装置。
【請求項８】
前記ブランキング区間ＩＰ変換部は、
現行フィールドに隣接する補間フィールドに黒画素を設定する擬似インタレース方式に従ったＩＰ変換処理を実行してブランキング区間対応プログレッシブ信号を生成する構成であることを特徴とする請求項６に記載の信号処理装置。
【請求項９】
前記ブランキング区間ＩＰ変換部は、
現行フィールドに隣接する補間フィールドに、先行フィールドのデータを設定するＩＰ変換処理を実行してブランキング区間対応プログレッシブ信号を生成する構成であることを特徴とする請求項６に記載の信号処理装置。
【請求項１０】
前記ブランキング区間ＩＰ変換部は、
現行フィールドに隣接する補間フィールドに、現行フィールドと同一フレームの異なるフィールドのデータを設定するＩＰ変換処理を実行してブランキング区間対応プログレッシブ信号を生成する構成であることを特徴とする請求項６に記載の信号処理装置。
【請求項１１】
画像表示装置において、インタレース信号に含まれるブランキング区間のデータ表示処理を実行する画像表示方法であり、
アクティブ区間ＩＰ変換部において、インタレース信号に含まれる映像データ記録区間であるアクティブ区間をプログレッシブ信号に変換するアクティブ区間ＩＰ変換ステップと、
ブランキング区間ＩＰ変換部において、インタレース信号に含まれるブランキング区間をプログレッシブ信号に変換するブランキング区間ＩＰ変換ステップと、
マルチプレクサにおいて、前記アクティブ区間ＩＰ変換部において生成されたアクティブ区間対応プログレッシブ信号と、前記ブランキング区間ＩＰ変換部において生成されたブランキング区間対応プログレッシブ信号を入力し、アクティブ区間およびブランキング区間双方のプログレッシブ信号を含む表示データを生成して出力する出力データ生成ステップと、
表示部において、前記マルチプレクサの出力を表示する表示ステップとを有し、
前記ブランキング区間ＩＰ変換ステップは、
インタレース信号の各フィールドデータに含まれない補間フィールドの画素値をインタレース信号に含まれるデータのコピー値または黒画素値として設定するＩＰ変換処理を実行してブランキング区間対応プログレッシブ信号を生成するステップであることを特徴とする画像表示方法。
【請求項１２】
画像表示装置において、インタレース信号に含まれるブランキング区間のデータ表示処理を実行させるコンピューヌ・プログラムであり、
アクティブ区間ＩＰ変換部において、インタレース信号に含まれる映像データ記録区間であるアクティブ区間をプログレッシブ信号に変換させるアクティブ区間ＩＰ変換ステップと、
ブランキング区間ＩＰ変換部において、インタレース信号に含まれるブランキング区間をプログレッシブ信号に変換させるブランキング区間ＩＰ変換ステップと、
マルチプレクサにおいて、前記アクティブ区間ＩＰ変換部において生成されたアクティブ区間対応プログレッシブ信号と、前記ブランキング区間ＩＰ変換部において生成されたブランキング区間対応プログレッシブ信号を入力し、アクティブ区間およびブランキング区間双方のプログレッシブ信号を含む表示データを生成して出力させる出力データ生成ステップと、
表示部において、前記マルチプレクサの出力を表示させる表示ステップとを有し、
前記ブランキング区間ＩＰ変換ステップは、
インタレース信号の各フィールドデータに含まれない補間フィールドの画素値をインタレース信号に含まれるデータのコピー値または黒画素値として設定するＩＰ変換処理を実行してブランキング区間対応プログレッシブ信号を生成させるステップであることを特徴とするコンピュータ・プログラム。
【発明の詳細な説明】
【技術分野】
【０００１】
本発明は、画像表示装置、信号処理装置、および画像表示方法、並びにコンピュータ・プログラムに関する。さらに、詳細には、ブランキング区間の表示を行なう構成において、インタレース信号をプログレッシブ信号に変換するＩＰ変換処理におけるブランキング区間データの劣化を防止し確実なデータ表示を可能とした画像表示装置、信号処理装置、および画像表示方法、並びにコンピュータ・プログラムに関する。
【背景技術】
【０００２】
液晶ディスプレイ（ＬＣＤ）や有機ＥＬ等を利用したフラットパネルディスプレイ（ＦＰＤ）を利用した表示処理では、点順次インパルス駆動であるＣＲＴと異なり面ホールド表示による表示を行う。すなわち、例えば一般的なフレーム周波数６０Ｈｚで動作する場合、１つのフレームの表示期間（１／６０ｓｅｃ＝１６．７ｍｓｅｃ）毎にディスプレイ面全体で同一の画像をホールドする面ホールド型の表示を行なう。
【０００３】
しかし、画像表示に適用するコンテンツや放送信号の多くは、ＣＲＴ対応のインタレース方式に従った画像データとして生成されている。すなわち、ＣＲＴの水平走査線に表示する１つの画像を２フィールドで構成し、まず、最初のフィールドで画面の上から１本おきに水平走査線を走査して下端に至った後、再度、上から、走査されていない１本おきの走査線を次フィールドで走査する処理によって１フレーム対応の画像表示を行なうインタレース方式の画像コンテンツである。
【０００４】
ＬＣＤ等、面ホールド型の表示を行なう表示装置において、このようなインタレース方式の画像コンテンツの表示を行なうと、各表示フレームにおいて、表示画像信号が存在するラインと存在しないラインが交互に発生しフリッカが目立ち、かつ輝度が半減するという問題を発生させる。この問題を解決するため、インタレース信号をプログレッシブ信号に変換して表示する処理が行われる。インタレース信号をプログレッシブ信号に変換する処理はＩＰ変換と呼ばれる。
【０００５】
画面の上から１本おきに水平走査線を走査する処理をインタレース方式と呼び、画面を構成する複数本の水平走査線（水平表示ライン）を１本ずつ順番に走査する方式をプログレッシブ方式（順次走査方式）と呼ぶ。プログレッシブ方式では、全てのラインに対応する画素信号が提供されることになる。
【０００６】
インタレース方式の信号をプログレッシブ信号に変換するＩＰ変換においては、インタレース信号に含まれる信号の無いラインの信号を補間処理によって生成する。この補間処理によって生成した擬似的な信号を適用してインタレース信号をプログレッシブ信号として全ての画素に信号を含むプログレッシブ信号として表示が実行される。なお、ＩＰ変換処理については、例えば特許文献１に記載されている。
【０００７】
しかしながら、インタレース信号をプログレッシブ信号に変換するＩＰ変換を行うと、オリジナルのインタレース信号に含まれていたＨ／Ｖ  Ｂｌａｎｋｉｎｇ区間、すなわち、映像信号の各水平ラインの切り替え区間である水平ブランキング区間、およびフレームまたはフィールドの切り替え区間である垂直ブランキング区間の信号の劣化が発生する。すなわち、これらのブランキング区間の信号に対しても、映像信号区間と同様の処理、すなわち補間処理などの信号処理が実行されてしまい信号の劣化が発生する。
【０００８】
ブランキング区間には、音声データや、コンテンツの属性情報などのメタデータなどの補助信号が記録されている。一般ユーザがこれらのブランキング区間の信号をディスプレイに表示して確認することは少ないが、コンテンツの制作者や編集者は、これらのブランキング区間の信号が存在していることを確認するために、業務用モニタに映像コンテンツに併せて表示させたいという要請がある。
【０００９】
すなわち、業務用モニタでは、映像信号だけでなく、インタレース信号のＨ／ＶＢｌａｎｋｉｎｇ区間に重畳されている音声情報やメタデータなどの補助信号が存在していることの確認を行なうことが要請される。従来のＣＲＴ方式のモニタでは、Ｕｎｄｅｒ−Ｓｃａｎ／ＨＶ  ｄｅｌａｙなど、表示タイミングや位置を変更する処理を行なうのみで、ブランキング区間の信号をＣＲＴ上に表示することが可能となり、補助信号のモニタ表示に対する特別な処理は必要としていなかった。
【００１０】
しかしながら、面ホールド型（固定画素方式）のモニタでは、上述したように、入力信号がインタレース信号方式の場合、インタレース信号をプログレッシブ信号に変換するＩＰ変換を行うことになり、上述の補間処理をブランキング区間の信号に対して実行すると、信号劣化が発生しモニタ上での確認が困難になるという問題が発生する。
【特許文献１】特開平８−２２１０３９号公報
【発明の開示】
【発明が解決しようとする課題】
【００１１】
本発明は、このような状況に鑑みてなされたものであり、インタレース信号をプログレッシブ信号に変換するＩＰ変換処理を実行してもブランキング区間の重畳信号の劣化を防止することを可能としたものであり、ブランキング区間に記録されたデータの劣化を発生させることなく表示装置に表示して確実な確認を可能とする画像表示装置、信号処理装置、および画像表示方法、並びにコンピュータ・プログラムを提供することを目的とする。
【課題を解決するための手段】
【００１２】
本発明の第１の側面は、
インタレース信号に含まれるブランキング区間のデータ表示処理を実行する画像表示装置であり、
インタレース信号に含まれる映像データ記録区間であるアクティブ区間をプログレッシブ信号に変換するアクティブ区間ＩＰ変換部と、
インタレース信号に含まれるブランキング区間をプログレッシブ信号に変換するブランキング区間ＩＰ変換部と、
前記アクティブ区間ＩＰ変換部において生成されたアクティブ区間対応プログレッシブ信号と、前記ブランキング区間ＩＰ変換部において生成されたブランキング区間対応プログレッシブ信号を入力し、アクティブ区間およびブランキング区間双方のプログレッシブ信号を含む表示データを生成して出力するマルチプレクサと、
前記マルチプレクサの出力を表示する表示部とを有し、
前記ブランキング区間ＩＰ変換部は、
インタレース信号の各フィールドデータに含まれない補間フィールドの画素値をインタレース信号に含まれるデータのコピー値または黒画素値として設定するＩＰ変換処理を実行してブランキング区間対応プログレッシブ信号を生成する構成であることを特徴とする画像表示装置にある。
【００１３】
さらに、本発明の画像表示装置の一実施態様において、前記ブランキング区間ＩＰ変換部は、現行フィールドに隣接する補間フィールドに現行フィールドを繰り返して設定するラインリピート方式に従ったＩＰ変換処理を実行してブランキング区間対応プログレッシブ信号を生成する構成であることを特徴とする。
【００１４】
さらに、本発明の画像表示装置の一実施態様において、前記ブランキング区間ＩＰ変換部は、現行フィールドに隣接する補間フィールドに黒画素を設定する擬似インタレース方式に従ったＩＰ変換処理を実行してブランキング区間対応プログレッシブ信号を生成する構成であることを特徴とする。
【００１５】
さらに、本発明の画像表示装置の一実施態様において、前記ブランキング区間ＩＰ変換部は、現行フィールドに隣接する補間フィールドに、先行フィールドのデータを設定するＩＰ変換処理を実行してブランキング区間対応プログレッシブ信号を生成する構成であることを特徴とする。
【００１６】
さらに、本発明の画像表示装置の一実施態様において、前記ブランキング区間ＩＰ変換部は、現行フィールドに隣接する補間フィールドに、現行フィールドと同一フレームの異なるフィールドのデータを設定するＩＰ変換処理を実行してブランキング区間対応プログレッシブ信号を生成する構成であることを特徴とする。
【００１７】
さらに、本発明の第２の側面は、
インタレース信号に含まれる映像データ記録区間であるアクティブ区間をプログレッシブ信号に変換するアクティブ区間ＩＰ変換部と、
インタレース信号に含まれるブランキング区間をプログレッシブ信号に変換するブランキング区間ＩＰ変換部と、
前記アクティブ区間ＩＰ変換部において生成されたアクティブ区間対応プログレッシブ信号と、前記ブランキング区間ＩＰ変換部において生成されたブランキング区間対応プログレッシブ信号を入力し、アクティブ区間およびブランキング区間双方のプログレッシブ信号を含む表示データを生成して出力するマルチプレクサとを有し、
前記ブランキング区間ＩＰ変換部は、
インタレース信号の各フィールドデータに含まれない補間フィールドの画素値をインタレース信号に含まれるデータのコピー値または黒画素値として設定するＩＰ変換処理を実行してブランキング区間対応プログレッシブ信号を生成する構成であることを特徴とする信号処理装置にある。
【００１８】
さらに、本発明の信号処理装置の一実施態様において、前記ブランキング区間ＩＰ変換部は、現行フィールドに隣接する補間フィールドに現行フィールドを繰り返して設定するラインリピート方式に従ったＩＰ変換処理を実行してブランキング区間対応プログレッシブ信号を生成する構成であることを特徴とする。
【００１９】
さらに、本発明の信号処理装置の一実施態様において、前記ブランキング区間ＩＰ変換部は、現行フィールドに隣接する補間フィールドに黒画素を設定する擬似インタレース方式に従ったＩＰ変換処理を実行してブランキング区間対応プログレッシブ信号を生成する構成であることを特徴とする。
【００２０】
さらに、本発明の信号処理装置の一実施態様において、前記ブランキング区間ＩＰ変換部は、現行フィールドに隣接する補間フィールドに、先行フィールドのデータを設定するＩＰ変換処理を実行してブランキング区間対応プログレッシブ信号を生成する構成であることを特徴とする。
【００２１】
さらに、本発明の信号処理装置の一実施態様において、前記ブランキング区間ＩＰ変換部は、現行フィールドに隣接する補間フィールドに、現行フィールドと同一フレームの異なるフィールドのデータを設定するＩＰ変換処理を実行してブランキング区間対応プログレッシブ信号を生成する構成であることを特徴とする。
【００２２】
さらに、本発明の第３の側面は、
画像表示装置において、インタレース信号に含まれるブランキング区間のデータ表示処理を実行する画像表示方法であり、
アクティブ区間ＩＰ変換部において、インタレース信号に含まれる映像データ記録区間であるアクティブ区間をプログレッシブ信号に変換するアクティブ区間ＩＰ変換ステップと、
ブランキング区間ＩＰ変換部において、インタレース信号に含まれるブランキング区間をプログレッシブ信号に変換するブランキング区間ＩＰ変換ステップと、
マルチプレクサにおいて、前記アクティブ区間ＩＰ変換部において生成されたアクティブ区間対応プログレッシブ信号と、前記ブランキング区間ＩＰ変換部において生成されたブランキング区間対応プログレッシブ信号を入力し、アクティブ区間およびブランキング区間双方のプログレッシブ信号を含む表示データを生成して出力する出力データ生成ステップと、
表示部において、前記マルチプレクサの出力を表示する表示ステップとを有し、
前記ブランキング区間ＩＰ変換ステップは、
インタレース信号の各フィールドデータに含まれない補間フィールドの画素値をインタレース信号に含まれるデータのコピー値または黒画素値として設定するＩＰ変換処理を実行してブランキング区間対応プログレッシブ信号を生成するステップであることを特徴とする画像表示方法にある。
【００２３】
さらに、本発明の第４の側面は、
画像表示装置において、インタレース信号に含まれるブランキング区間のデータ表示処理を実行させるコンピューヌ・プログラムであり、
アクティブ区間ＩＰ変換部において、インタレース信号に含まれる映像データ記録区間であるアクティブ区間をプログレッシブ信号に変換させるアクティブ区間ＩＰ変換ステップと、
ブランキング区間ＩＰ変換部において、インタレース信号に含まれるブランキング区間をプログレッシブ信号に変換させるブランキング区間ＩＰ変換ステップと、
マルチプレクサにおいて、前記アクティブ区間ＩＰ変換部において生成されたアクティブ区間対応プログレッシブ信号と、前記ブランキング区間ＩＰ変換部において生成されたブランキング区間対応プログレッシブ信号を入力し、アクティブ区間およびブランキング区間双方のプログレッシブ信号を含む表示データを生成して出力させる出力データ生成ステップと、
表示部において、前記マルチプレクサの出力を表示させる表示ステップとを有し、
前記ブランキング区間ＩＰ変換ステップは、
インタレース信号の各フィールドデータに含まれない補間フィールドの画素値をインタレース信号に含まれるデータのコピー値または黒画素値として設定するＩＰ変換処理を実行してブランキング区間対応プログレッシブ信号を生成させるステップであることを特徴とするコンピュータ・プログラムにある。
【００２４】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２５】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２６】
本発明の一実施例の構成によれば、インタレース信号に含まれるブランキング区間のデータ表示処理を実行する画像表示処理において、インタレース信号に含まれるブランキング区間をプログレッシブ信号に変換する際、補間フィールドの画素値をインタレース信号に含まれるデータのコピー値または黒画素値として設定するＩＰ変換処理を実行してブランキング区間対応プログレッシブ信号を生成する。具体的には、
１．補間フィールドをカレントラインの繰り返しラインとして設定するラインリピート方式、
２．補間フィールドを黒画素ラインとして設定する擬似インタレース方式、
３．補間フィールドをカレントラインの前のフィールドのラインデータを適用して設定するフィールドユニット方式、
４．補間フィールドをカレントラインと同一フレームの他のフィールドのラインデータを適用して設定するフレームユニット方式、
これらのいずれかの方式に従ったＩＰ変換を実行することで、擬似的な画素値を含まないオリジナルのインタレース信号のみ、あるいはオリジナルのインタレース信号と黒画素のみからなるプログレッシブ信号を生成して出力する構成としたので、ＩＰ変換後のブランキング信号区間の表示データに擬似画素が含まれることがなく、確実なブランキング区間データの確認が可能となる。
【発明を実施するための最良の形態】
【００２７】
以下、図面を参照しながら本発明の画像表示装置、信号処理装置、および画像処理方法、並びにコンピュータ・プログラムの詳細について説明する。説明は以下の項目
に従って行なう。
１．ＩＰ変換について
２．ブランキング信号の表示処理について
３．本発明の装置構成および処理の詳細
【００２８】
［１．ＩＰ変換について］
まず、最初に、一般的なＩＰ変換処理の概要について説明する。先に説明したように、１本おきに水平走査線を走査するインタレース方式の画像を、例えば液晶ディスプレイなどの面ホールド型の表示装置に表示する場合、画像信号のないラインの画素値を補間処理によって決定して全ライン表示としたプログレッシブ方式に変換するＩＰ変換が実行される。
【００２９】
図１は、一般的なＩＰ変換処理構成を示す図である。図１（Ａ）はＩＰ変換前のインタレース方式の出力例を示している。左から時間ｔ０〜ｔ４の出力画素ラインを示している。例えば、時間ｔ０において、表示部５１の１つのラインおきに画素値の出力が実行され、次の時間ｔ１において、時間ｔ０で画素値出力を行わなかったラインの画素値出力が実行される。
【００３０】
時間ｔ０に出力されるインタレース信号が第１フィールド信号に対応し、時間ｔ１に出力されるインタレース信号が第２フィールド信号に対応し、この２つのフィールド信号によって１フレームが形成されることになる。
【００３１】
このインタレース信号を、面ホールド型表示を行なう表示部に表示すると、前述したように、表示画像信号が存在するラインと存在しないラインが交互に発生しフリッカが目立ち、かつ輝度が半減するという問題を発生させる。この問題を解決するため、インタレース信号をプログレッシブ信号に変換するＩＰ変換が実行される。
【００３２】
ＩＰ変換後の画像が図１（Ｂ）に示す画像である。図１（Ｂ）に示すように、元々の表示画像信号が存在するオリジナルライン６１と、元々の表示画像信号が存在しない補間ライン６２が同一時間の表示画像においては、垂直に１つおきに交互に配置され、時間軸方向にも１つおきに配置された構成となる。
【００３３】
一般的なＩＰ変換の方式について、図２を参照して説明する。ＩＰ変換の方式としては、図２に示す様に、時間方向における前後のフレームのラインから補間を行うフレーム間補間と、同一フレームの上下のラインから補間を行う面内補間があり、その切り替え、または配分を画像特徴に応じてリアルタイムに切り替える方法が一般的である。具体的には、動き情報を取得して、その配分比率を変更する処理などによって、補間画素の画素値を決定する。
【００３４】
補間画素の画素値は、このように時間方向または、面方向にある画素の画素値に基づいて、例えば周囲画素の画素値平均を算出して設定する方法がとられる。しかし、この補間処理によって決定される画素値は、インタレース画像の内容によっては、実際の画像に対応する画素値とは異なる画素値が設定されてしまう場合が発生し、画質を劣化させる要因ともなっている。
【００３５】
このような補間処理によって生成される画素の画素値はあくまでも面方向または時間方向の周囲画素に基づいて推定された画素値であり擬似的な画素である。従って、視聴者は、擬似的な画素値によって改変されたコンテンツを見ることになり、忠実なオリジナルコンテンツの再生を望むユーザにとっては迷惑となってしまうことがある。
【００３６】
さらに、ブランキング区間のデータについて、このような補間処理を行なってデータ表示を行なうと、意味のない擬似画素が生成されて表示されることになり、ブランキング区間に含まれる音声データや、コンテンツの属性情報などのメタデータなどの補助信号が劣化してしまい、表示データとしての確認が困難な状況になるという問題を発生させる。
【００３７】
［２．ブランキング信号の表示処理について］
次に、ブランキング信号の表示処理構成について説明する。前述したように、インタレース信号中のブランキング区間には、音声データや、コンテンツの属性情報などのメタデータなどの補助信号が記録されている。一般ユーザがこれらのブランキング区間の信号をディスプレイに表示して確認することは少ないが、コンテンツの制作者や編集者は、これらのブランキング区間の信号が存在していることを確認するために、業務用モニタに映像コンテンツに併せて表示させたいという要請がある。
【００３８】
すなわち、業務用モニタでは、映像信号だけでなく、インタレース信号のＨ／ＶＢｌａｎｋｉｎｇ区間に重畳されている音声情報やメタデータなどの補助信号が存在していることの確認を行なうことが要請される場合がある。このような場合、業務用モニタに映像コンテンツに併せてブランキング区間の信号の表示を行なう。ブランキング信号の表示態様には複数の態様がある。図３〜図６を参照して主要なブランキング区間信号の表示態様について説明する。
【００３９】
図３は、ブランキング信号を表示しない映像信号のみの一般的な表示処理態様を示している。図３（ａ）は、入力インタレース信号であり、先に説明したように、１フレームデータを構成する第１フィールドと第２フィールドに対応する信号が連続して入力される。それぞれの信号には、図に示すように水平ブランキング信号と、垂直ブランキング信号が含まれる。水平ブランキング信号は、映像信号の各水平ラインの切り替え区間であり、垂直ブランキング信号は、フレームまたはフィールドの切り替え区間に相当する。図ではグレーの部分がブランキング信号である。
【００４０】
一般的には、図３（ｂ）に示すように、ブランキング信号を除いた映像信号部分、すなわち、図に示すアクティブピクセル第１フィールドとアクティブピクセル第２フィールドに対応する各フィールドの映像信号が選択され、図３（ｃ）に示すように第１フィールドと第２フィールドの映像信号のみが表示部に出力される。
【００４１】
しかし、コンテンツ製作者や編集者が利用する業務用モニタでは、映像信号だけでなく、インタレース信号のＨ／ＶＢｌａｎｋｉｎｇ区間に重畳されている音声情報やメタデータなどの補助信号が存在していることの確認を行なうために、特殊な表示処理を実行する。例えば、Ｕｎｄｅｒ−Ｓｃａｎ／ＨＶ  ｄｅｌａｙなどの方式によってブランキング区間の表示を行なう。
【００４２】
図４は、アンダースキャン（Ｕｎｄｅｒ−Ｓｃａｎ）方式によるブランキング区間の表示構成を説明する図である。図４（ａ）は、入力インタレース信号であり、図３（ａ）と同様の信号であり、１フレームデータを構成する第１フィールドと第２フィールドに対応する信号から構成される。それぞれの信号には、図のグレー部に示すように水平ブランキング信号と、垂直ブランキング信号が含まれる。
【００４３】
アンダースキャン（Ｕｎｄｅｒ−Ｓｃａｎ）方式では、図４（ｂ）に示すように、図４（ｂ）に示すアクティブピクセル第１フィールド１２１とその周囲のブランキング信号１２２を含む信号部分を出力信号として選択し、さらに、アクティブピクセル第２フィールド１２３とその周囲のブランキング信号１２４を含む信号部分を出力信号として選択して、表示部に出力する。表示結果は、図４（ｃ）に示すように、第１フレームの映像信号の周囲にブランキング信号の表示領域が設定された表示態様となる。視聴者は、ブランキング区間の変化に基づいて、音声やメタデータなどの補助情報が記録されていることを確認することが可能となる。
【００４４】
図５は、水平ディレイ（Ｈ−Ｄｅｌａｙ）方式によるブランキング区間の表示構成を説明する図である。図５（ａ）は、入力インタレース信号であり、図３（ａ）と同様の信号であり、１フレームデータを構成する第１フィールドと第２フィールドに対応する信号から構成される。それぞれの信号には、図のグレー部に示すように水平ブランキング信号と、垂直ブランキング信号が含まれる。
【００４５】
水平ディレイ（Ｈ−Ｄｅｌａｙ）方式では、図５（ｂ）に示すように、水平方向に遅延させたデータを生成して、出力データを選択する。図５（ｂ）に示す出力データ１３１は、水平方向に遅延させたデータから、矩形領域を選択したデータ領域であり、アクティブピクセル第１フィールドとその周囲のブランキング信号を含む信号部分からなるデータである。出力データ１３２は、水平方向に遅延させたデータから、矩形領域を選択したデータであり、アクティブピクセル第２フィールドとその周囲のブランキング信号を含む信号部分からなるデータである。これらを出力信号として選択して、表示部に出力する。表示結果は、図５（ｃ）に示すように、左右に分断されたフレームの映像信号の中央および周囲にブランキング信号１３３の表示領域が設定された表示態様となる。視聴者は、ブランキング区間の変化に基づいて、音声やメタデータなどの補助情報が記録されていることを確認することが可能となる。
【００４６】
図６は、垂直ディレイ（Ｖ−Ｄｅｌａｙ）方式によるブランキング区間の表示構成を説明する図である。図６（ａ）は、入力インタレース信号であり、図３（ａ）と同様の信号であり、１フレームデータを構成する第１フィールドと第２フィールドに対応する信号から構成される。それぞれの信号には、図のグレー部に示すように水平ブランキング信号と、垂直ブランキング信号が含まれる。
【００４７】
垂直ディレイ（Ｖ−Ｄｅｌａｙ）方式では、図６（ｂ）に示すように、垂直方向に遅延させたデータを生成して、出力データを選択する。図６（ｂ）に示す出力データ１４１は、垂直方向に遅延させたデータから矩形領域を選択したデータ領域であり、Ｍ−１フレームのアクティブピクセル第２フィールドの下半分（Ｌｏｗｅｒ）領域と、Ｍフレームのアクティブピクセル第１フィールドの上半分（Ｕｐｐｅｒ）領域と、その間のブランキング信号を含む信号部分からなるデータである。出力データ１４２は、垂直方向に遅延させたデータから矩形領域を選択したデータ領域であり、Ｍフレームのアクティブピクセル第１フィールドの下半分（Ｌｏｗｅｒ）領域と、Ｍフレームのアクティブピクセル第２フィールドの上半分（Ｕｐｐｅｒ）領域と、その間のブランキング信号を含む信号部分からなるデータである。
【００４８】
これらを出力信号として選択して、表示部に出力する。表示結果は、図６（ｃ）に示すように、上下に分断されたフレーム映像信号の中央および周囲にブランキング信号１４３の表示領域が設定された表示態様となる。視聴者は、ブランキング区間の変化に基づいて、音声やメタデータなどの補助情報が記録されていることを確認することが可能となる。
【００４９】
図４〜図６を参照して説明したブランキング信号の表示処理は、ＣＲＴ方式のモニタでは、問題のない表示が可能であるが、ＬＣＤなどの面ホールド型表示装置においては、インタレース方式の信号をプログレッシブ信号に変換するＩＰ変換が行なわれる。このＩＰ変換を水平ブランキング区間、および垂直ブランキング区間の信号について実行してしまうと、信号の劣化が発生してしまい、表示した際に信号の有無を確実に確認できないことがある。本発明は、このような弊害を解消するものである。以下、本発明の処理の詳細について説明する。
【００５０】
［３．本発明の装置構成および処理の詳細］
以下、本発明の装置構成および処理の詳細について説明する。本発明は、ＬＣＤや有機ＥＬ、その他の様々な面ホールド型表示処理を実行する表示装置を適用した映像表示を行なう構成において、インタレース信号をプログレッシブ信号に変換するＩＰ変換処理を実行してもブランキング区間の重畳信号の劣化を防止して表示可能としたものである。
【００５１】
具体的には、インタレース信号をプログレッシブ信号に変換するＩＰ変換を実行する際に、入力ビデオ信号（インタレース信号）に含まれる同期信号に基づいて、ブランキング区間信号と、映像信号の含まれるアクティブビデオ区間信号に信号領域を区分し、各々の領域に対して異なるＩＰ変換処理を実行する。
【００５２】
図７に、本発明の画像表示装置における信号処理回路を示すブロック図である。本発明の画像処理装置は図７に示すようにインタレース信号としての処理対象信号を入出力するメモリ（ＦＩＦＯ）２０１、同期信号に基づく入出力制御を実行する入出力制御部２０２、システム制御信号を入力してデコードし、各処理部に制御情報を出力する制御部２０３、アクティブピクセル、すなわち映像信号のＩＰ変換を実行するアクティブ区間ＩＰ変換部２０４、ブランキング区間のＩＰ変換を実行するブランキング区間ＩＰ変換部２１０、ＩＰ変換後のアクティブ区間信号（映像信号）およびブランキング区間信号を合成して、アクティブ区間およびブランキング区間双方のプログレッシブ信号を含む表示データを生成して出力するマルチプレクサ２０５、表示部のサイズに応じたスケーリング処理を実行するスケーラー２０６を有する。
【００５３】
ブランキング区間ＩＰ変換部２１０は、水平ラインの１ライン分の遅延を実行する１Ｈ遅延処理部（１Ｈ  Ｄｅｌａｙ）２１１、水平ラインを黒画素ラインに変換する黒ライン変換処理部（Ｂｌａｃｋ  Ｌｉｎｅ）２１２、１フィールド分の遅延処理を実行するフィールド遅延処理部（Ｆｉｅｌｄ  Ｄｅｌａｙ）２１３、フィールド遅延処理部（Ｆｉｅｌｄ  Ｄｅｌａｙ）２１３からの出力に対して、さらに、１フィールド分の遅延処理を実行するフィールド遅延処理部（Ｆｉｅｌｄ  Ｄｅｌａｙ）２１４、さらに、メモリ２０１からの出力と各処理部２１１〜２１４の出力（ａ）〜（ｅ）を入力して合成しマルチプレクサ２０５に出力する処理を実行するマルチプレクサ２１５を有する。
【００５４】
処理対象となるインタレース信号は入力信号クロックに従って、メモリ（ＦＩＦＯ）２０１に入力される。また同期信号は同期制御部２０２に入力される。メモリ（ＦＩＦＯ）２０１に入力されたデータは、アクティブ区間ＩＰ変換部２０４と、ブランキング区間ＩＰ変換部２１０とによって読み出され、それぞれの区間のＩＰ変換処理が実行される。なお、データ読み出し処理は、メモリ（ＦＩＦＯ）２０１に対する信号の入力タイミングを規定するクロックの倍以上のクロック速度で読み出しが実行される。これは、ブランキング区間ＩＰ変換部２１０において、各種のデータ遅延処理が実行され、その遅延処理による出力遅れを防止するためである。
【００５５】
また、アクティブ区間ＩＰ変換部２０４と、ブランキング区間ＩＰ変換部２１０におけるメモリ（ＦＩＦＯ）２０１からのデータの読み出し処理は、同期信号に基づく入出力制御を実行する入出力制御部２０２からの制御信号に従って実行され、アクティブ区間ＩＰ変換部２０４に対しては、映像信号からなるアクティブピクセル区間データが出力され、ブランキング区間ＩＰ変換部２１０に対しては、ブランキング区間信号が出力される。
【００５６】
映像信号のＩＰ変換を実行するアクティブ区間ＩＰ変換部２０４では、アクティブセピクセル、すなわちブランキング区間以外の映像信号区間のデータに対して、従来どおりの補間処理によるＩＰ変換を実行する。すなわち、先に、図１、図２を参照して説明したように、時間方向における前後のフレームのラインから補間を行うフレーム間補間と、同一フレームの上下のラインから補間を行う面内補間を適宜、切り替え、または配分を画像特徴に応じてリアルタイムに切り替えて補間画素の画素値を決定し、インタレース信号からプログレッシブ信号を生成してマルチプレクサ２０５に出力する。
【００５７】
ブランキング区間信号のＩＰ変換処理は、ブランキング区間ＩＰ変換部２１０において実行される。この処理の詳細については後述する。アクティブ区間ＩＰ変換部２０４においてＩＰ変換が実行されたアクティブ区間信号（映像信号）、およびブランキング区間ＩＰ変換部２１０においてＩＰ変換が実行されたブランキング区間信号は、マルチプレクサ２０５において合成され、その後、表示部のサイズに応じたスケーリング処理を実行するスケーラー２０６によって、スケーリング処理がなされて、表示部に出力される。表示部に対する表示態様は、たとえば、先に説明した図４〜図６に示すブランキング区間データの表示領域を含む表示データである。
【００５８】
次に、図８〜図１１を参照して、ブランキング区間ＩＰ変換部２１０において実行されるブランキング区間信号のＩＰ変換処理の詳細について説明する。ブランキング区間のＩ／Ｐ変換方式として、以下の４方式がある。
１．ラインリピート方式
２．擬似インタレース方式
３．フィールドユニット方式
４．フレームユニット方式
これらの４態様のいずれかを選択的に適用する。以下、これらの４方式の具体的な処理例について説明する。
【００５９】
（１．ラインリピート方式）
まず、図８を参照してブランキング区間ＩＰ変換部２１０において実行されるラインリピート方式に従ったブランキング区間信号のＩＰ変換処理について説明する。
【００６０】
図８には、ラインリピート方式に従ったブランキング区間信号のＩＰ変換処理の具体例を示している。図８（１ａ）は、ブランキング区間ＩＰ変換部２１０から出力されるブランキング区間信号のＩＰ変換処理後の先行データであり、（１ｂ）は後続データの構成である。
【００６１】
基本的な考え方は、インタレース信号中に存在しない補間対象ラインをインタレース信号中に含まれるカレントフィールドの画素値をそのままコピーして、補間ラインを埋める方式である。例えば、図８（１ａ）のライン３０１は、インタレース信号中に含まれるカレントフィールドのラインであり、ライン３０２は、本来、インタレース信号中に存在しない補間対象ラインであるが、ここに、ライン３０１と同一のラインを繰り返し設定する。すなわち１つのラインを２ラインとしてリピートさせる方式である。この処理によって、同じ信号ラインが繰り返されることになるが、複数の画素値に基づく保管処理といった一般的なＩＰ変換は実行されず、オリジナルのインタレース信号が繰り返されることになるので、表示データ信号の減少といった弊害は発生することがなく、ブランキング区間の補助情報の確認が確実に実行されることになる。なお、図８（１ｂ）の補間フィールドライン３１２のコピー元となるデータ３１１は、例えばブランキングデータに置換されるので、それをコピーして出力する。
【００６２】
図７に示すブランキング区間ＩＰ変換部２１０では、メモリ２０１からの出力と各処理部２１１〜２１４の出力（ａ）〜（ｅ）を適宜、組み合わせて、図８に示す態様の出力を生成して、これをブランキング区間のＩＰ変換結果としてマルチプレクサ２０５に出力する。具体的には、図７に示すブランキング区間ＩＰ変換部２１０では、メモリ２０１からの出力と、水平ラインの１ライン分の遅延を実行する１Ｈ遅延処理部（１Ｈ  Ｄｅｌａｙ）２１１の出力とに基づいて、図８に示す態様の出力データを生成して、これをブランキング区間のＩＰ変換結果としてマルチプレクサ２０５に出力する。この処理例では、１フィールドのデータで１つの出力（図８（１ａ）や（１ｂ））が完結することになる。
【００６３】
この処理の場合、表示処理の遅延、すなわちシステムディレイは１ライン分のディレイが発生するが、表示部に表示されるブランキング区間のデータは、オリジナルのインタレース信号が繰り返されるのみであり、他の信号が交じり合うことがなく、ブランキング区間の補助情報の確認が確実に実行可能となる。
【００６４】
（２．擬似インタレース方式）
次に、図９を参照してブランキング区間ＩＰ変換部２１０において実行される擬似インタレース方式に従ったブランキング区間信号のＩＰ変換処理について説明する。
【００６５】
図９には、擬似インタレース方式に従ったブランキング区間信号のＩＰ変換処理の具体例を示している。図９（１ａ）は、ブランキング区間ＩＰ変換部２１０から出力されるブランキング区間信号のＩＰ変換処理後の先行データであり、（１ｂ）は後続データの構成である。
【００６６】
基本的な考え方は、インタレース信号中に存在しない補間対象ラインを黒レベルの画素ラインとして設定する方式である。例えば、図９（１ａ）のライン３２１は、インタレース信号中に含まれるカレントフィールドのラインであり、ライン３２２は、本来、インタレース信号中に存在しない補間対象ラインであるが、ここを、黒レベルの画素ラインとして設定する。この処理によって、表示されるブランキング区間のデータは、輝度レベルは落ちるが、オリジナルのインタレース信号はそのまま出力されることになり、ブランキング区間の補助情報の確認が確実に実行されることになる。
【００６７】
図７に示すブランキング区間ＩＰ変換部２１０では、メモリ２０１からの出力と各処理部２１１〜２１４の出力（ａ）〜（ｅ）を適宜、組み合わせて、図９に示す態様の出力を生成して、これをブランキング区間のＩＰ変換結果としてマルチプレクサ２０５に出力する。具体的には、図７に示すブランキング区間ＩＰ変換部２１０では、メモリ２０１からの出力と、水平ラインを黒画素ラインに変換する黒ライン変換処理部（Ｂｌａｃｋ  Ｌｉｎｅ２１２の出力とに基づいて、図９に示す態様の出力データを生成して、これをブランキング区間のＩＰ変換結果としてマルチプレクサ２０５に出力する。この処理例においても、１フィールドのデータで１つの出力（図９（１ａ）や（１ｂ））が完結することになる。
【００６８】
この処理の場合、表示処理の遅延、すなわちシステムディレイは発生することなく、表示部に表示されるブランキング区間のデータは、オリジナルのインタレース信号が、そのまま出力され、他の信号が交じり合うことがなく、ブランキング区間の補助情報の確認が確実に実行可能となる。ただし、本処理では、スケーリングは１：１とする構成とする。拡大や縮小のスケーリングを実行すると黒ラインと他のラインの混在が発生する可能性があるためである。ただし、混在を防止したスケーリング処理を実行する構成とした場合は、スケーリングを適用してもよい。
【００６９】
（３．フィールドユニット方式）
次に、図１０を参照してブランキング区間ＩＰ変換部２１０において実行されるフィールドユニットに従ったブランキング区間信号のＩＰ変換処理について説明する。
【００７０】
図１０には、フィールドユニット方式に従ったブランキング区間信号のＩＰ変換処理の具体例を示している。図１０（１ａ）は、ブランキング区間ＩＰ変換部２１０から出力されるブランキング区間信号のＩＰ変換処理後の先行データであり、（１ｂ）は後続データの構成である。
【００７１】
基本的な考え方は、インタレース信号中に存在しない補間対象ラインを、前のフィールドのラインデータで埋める方式である。例えば、図１０（１ａ）のライン３４１は、インタレース信号中に含まれるカレントフィールドのラインであり、ライン３４２は、本来、インタレース信号中に存在しない補間対象ラインであるが、ここを、カレントフィールドの前のフィールドのラインで埋める処理を実行する。
【００７２】
例えば、図１０（１ａ）に示すように、
カレントフィールドがＭフレームの第１フィールドである場合、
補間フィールドは、Ｍ−１フレームの第２フィールドのデータに設定される。
また、図１０（１ｂ）に示すように、
カレントフィールドがＭフレームの第２フィールドである場合、
補間フィールドは、Ｍフレームの第１フィールドのデータに設定される。
従って、出力は、図１０（１ａ）の場合は、異なるフレームのデータが混在し、図１０（１ｂ）の場合は、同一フレームのデータのみから構成されることになる。本例においては、全てインタレース中の信号を使用して出力データが生成されることになり、擬似的な画素値が生成されて出力されることがなく、オリジナルのインタレース信号に含まれるデータは確実に出力されることになり、ブランキング区間の補助情報の確認が可能となる。
【００７３】
図７に示すブランキング区間ＩＰ変換部２１０では、メモリ２０１からの出力と各処理部２１１〜２１４の出力（ａ）〜（ｅ）を適宜、組み合わせて、図１０に示す態様の出力を生成して、これをブランキング区間のＩＰ変換結果としてマルチプレクサ２０５に出力する。具体的には、図７に示すブランキング区間ＩＰ変換部２１０では、メモリ２０１からの出力と、１フィールド分の遅延処理を実行するフィールド遅延処理部（Ｆｉｅｌｄ  Ｄｅｌａｙ）２１３の出力とに基づいて、図１０に示す態様の出力データを生成して、これをブランキング区間のＩＰ変換結果としてマルチプレクサ２０５に出力する。
【００７４】
この処理の場合、表示処理の遅延、すなわちシステムディレイは発生することなく、表示部に表示されるブランキング区間のデータは、オリジナルのインタレース信号が間違いなく出力され、ブランキング区間の補助情報の確認が確実に実行可能となる。
【００７５】
（４．フレームユニット方式）
次に、図１１を参照してブランキング区間ＩＰ変換部２１０において実行されるフレームユニットに従ったブランキング区間信号のＩＰ変換処理について説明する。
【００７６】
図１１には、フレームユニット方式に従ったブランキング区間信号のＩＰ変換処理の具体例を示している。図１１（１ａ）は、ブランキング区間ＩＰ変換部２１０から出力されるブランキング区間信号のＩＰ変換処理後の先行データであり、（１ｂ）は後続データの構成である。
【００７７】
基本的な考え方は、インタレース信号中に存在しない補間対象ラインを、同一フレームの他のフィールドのラインデータで埋める方式である。例えば、図１１（１ａ）のライン３６１は、インタレース信号中に含まれるカレントフィールドのラインであり、ライン３６２は、本来、インタレース信号中に存在しない補間対象ラインであるが、ここを、カレントフィールドと同一フレームの他のフィールドのラインで埋める処理を実行する。
【００７８】
例えば、図１１（１ａ）に示すように、
カレントフィールドがＭフレームの第１フィールドである場合、
補間フィールドは、Ｍフレームの第２フィールドのデータに設定される。
また、図１１（１ｂ）に示すように、
カレントフィールドがＭフレームの第２フィールドである場合、
補間フィールドは、Ｍフレームの第１フィールドのデータに設定される。
従って、出力は、すべて同一フレームのデータのみから構成されることになる。本例においては、全てインタレース中の信号を使用して出力データが生成されることになり、擬似的な画素値が生成されて出力されることがなく、オリジナルのインタレース信号に含まれるデータは確実に出力されることになり、ブランキング区間の補助情報の確認が可能となる。
【００７９】
図７に示すブランキング区間ＩＰ変換部２１０では、メモリ２０１からの出力と各処理部２１１〜２１４の出力（ａ）〜（ｅ）を適宜、組み合わせて、図１１に示す態様の出力を生成して、これをブランキング区間のＩＰ変換結果としてマルチプレクサ２０５に出力する。具体的には、図７に示すブランキング区間ＩＰ変換部２１０では、メモリ２０１からの出力と、１フィールド分の遅延処理を実行するフィールド遅延処理部（Ｆｉｅｌｄ  Ｄｅｌａｙ）２１３の出力、および、さらに、１フィールド分の遅延処理を実行するフィールド遅延処理部（Ｆｉｅｌｄ  Ｄｅｌａｙ）２１４の出力とに基づいて、図１１に示す態様の出力データを生成して、これをブランキング区間のＩＰ変換結果としてマルチプレクサ２０５に出力する。
【００８０】
この処理の場合、表示処理の遅延、すなわちシステムディレイは１フィールド分発生するが、表示部に表示されるブランキング区間のデータは、オリジナルのインタレース信号が間違いなく出力され、ブランキング区間の補助情報の確認が確実に実行可能となる。
【００８１】
最後に、図１２に示すフローチャートを参照して本発明の画像表示装置において実行する処理シーケンスについて説明する。この図１２に示すフローに従った処理は、図７に示す画像表示装置において実行される。なお、全体的な処理制御は、図７に示す制御部２０３および図示しないシステム制御信号の出力元の制御部によって実行される。例えば、これらの制御部はＣＰＵを有しメモリに記録されたコンピュータ・プログラムに従った処理制御を行なう。
【００８２】
図１３に示すフローチャートの各ステップの処理について説明する。まず、ステップＳ１０１において、ＩＰ変換処理対象となる処理対象データを入力するこれは、メモリ（ＦＩＦＯ）２０１に対する入力処理である。次に、メモリ（ＦＩＦＯ）２０１に入力されたデータが、アクティブ区間ＩＰ変換部２０４と、ブランキング区間ＩＰ変換部２１０とによって読み出され、それぞれの区間のＩＰ変換処理が実行される。ステップＳ１０２ａ，ｂの処理である。なお、前述したように、メモリ２０１からのデータ読み出し処理は、メモリ（ＦＩＦＯ）２０１に対する信号の入力タイミングを規定するクロックの倍以上のクロック速度で読み出しが実行される。これは、ブランキング区間ＩＰ変換部２１０において、各種のデータ遅延処理が実行され、その遅延処理による出力遅れを防止するためである。
【００８３】
ステップＳ１０２ａでは、アクティブ区間ＩＰ変換部２０４において、アクティブセピクセル、すなわちブランキング区間以外の映像信号区間のデータに対して、従来どおりの補間処理によるＩＰ変換が実行される。すなわち、先に、図１、図２を参照して説明したように、時間方向における前後のフレームのラインから補間を行うフレーム間補間と、同一フレームの上下のラインから補間を行う面内補間を適宜、切り替え、または配分を画像特徴に応じてリアルタイムに切り替えて補間画素の画素値を決定し、インタレース信号からプログレッシブ信号を生成してマルチプレクサ２０５に出力する。
【００８４】
ステップＳ１０２ｂでは、ブランキング区間ＩＰ変換部２１０において実行される。この処理は、先に、図８〜図１１を参照して説明したように、
１．ラインリピート方式
２．擬似インタレース方式
３．フィールドユニット方式
４．フレームユニット方式
これらの４態様のいずれかを選択的に適用した処理として実行される。処理結果は、それぞれ、図８〜図１１を参照して説明した通りであり、
１．ラインリピート方式は、補間フィールドをカレントラインの繰り返しラインとして設定、
２．擬似インタレース方式は、補間フィールドを黒画素ラインとして設定、
３．フィールドユニット方式は、補間フィールドをカレントラインの前のフィールドのラインデータを適用して設定、
４．フレームユニット方式は、補間フィールドをカレントラインと同一フレームの他のフィールドのラインデータを適用して設定、
これらの処理態様である。
【００８５】
ステップＳ１０３では、ステップＳ１０２ａの結果とステップＳ１０２ｂの結果、すなわち、ＩＰ変換後のアクティブ区間信号（映像信号）およびブランキング区間信号を合成する処理が実行される。この処理は、図７におけるマルチプレクサ２０５によって実行される。その後、ステップＳ１０４において合成データが表示部に表示される。表示データは、例えば先に説明した図４〜図６に示すブランキング区間の信号の表示を含む表示データである。なお、必要に応じてスケーラーによるスケーリング処理が実行される。
【００８６】
上述したように、本発明の処理においては、映像区間であるアクティブピクセル区間と、ブランキング信号区間を区別し、それぞれの区間において異なるＩＰ変換を実行する構成とし、ブランキング信号区間に対するＩＰ変換では、擬似的な画素値を持つ補間信号を生成することなく、オリジナルのインタレース信号のみからなる信号、あるいはオリジナルのインタレース信号と黒画素のみからなるプログレッシブ信号を生成して出力する構成としたので、ＩＰ変換後のブランキング信号区間の表示データには、一般的な補間処理によって生成される擬似画素が含まれることがなく、確実に補助データを確認することが可能となる。
【００８７】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００８８】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００８９】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００９０】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００９１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００９２】
以上、説明したように、本発明の一実施例の構成によれば、インタレース信号に含まれるブランキング区間のデータ表示処理を実行する画像表示処理において、インタレース信号に含まれるブランキング区間をプログレッシブ信号に変換する際、補間フィールドの画素値をインタレース信号に含まれるデータのコピー値または黒画素値として設定するＩＰ変換処理を実行してブランキング区間対応プログレッシブ信号を生成する。具体的には、
１．補間フィールドをカレントラインの繰り返しラインとして設定するラインリピート方式、
２．補間フィールドを黒画素ラインとして設定する擬似インタレース方式、
３．補間フィールドをカレントラインの前のフィールドのラインデータを適用して設定するフィールドユニット方式、
４．補間フィールドをカレントラインと同一フレームの他のフィールドのラインデータを適用して設定するフレームユニット方式、
これらのいずれかの方式に従ったＩＰ変換を実行することで、擬似的な画素値を含まないオリジナルのインタレース信号のみ、あるいはオリジナルのインタレース信号と黒画素のみからなるプログレッシブ信号を生成して出力する構成としたので、ＩＰ変換後のブランキング信号区間の表示データに擬似画素が含まれることがなく、確実なブランキング区間データの確認が可能となる。
【図面の簡単な説明】
【００９３】
【図１】ＩＰ変換処理について説明する図である。
【図２】ＩＰ変換処理について説明する図である。
【図３】ブランキング信号を省いた表示処理構成について説明する図である。
【図４】ブランキング信号の表示処理構成について説明する図である。
【図５】ブランキング信号の表示処理構成について説明する図である。
【図６】ブランキング信号の表示処理構成について説明する図である。
【図７】本発明の画像表示装置における信号処理回路を示すブロック図である。
【図８】本発明の装置においてブランキング区間のＩＰ変換処理として実行するラインリピート方式について説明する図である。
【図９】本発明の装置においてブランキング区間のＩＰ変換処理として実行する擬似インタレース方式について説明する図である。
【図１０】本発明の装置においてブランキング区間のＩＰ変換処理として実行するフィールドユニット方式について説明する図である。
【図１１】本発明の装置においてブランキング区間のＩＰ変換処理として実行するフレームユニット方式について説明する図である。
【図１２】本発明の画像表示装置において実行する処理シーケンスについて説明するフローチャートを示す図である。
【符号の説明】
【００９４】
５１  表示部
６１  オリジナルライン
６２  補間ライン
１２１  アクティブピクセル第１フィールド
１２２  ブランキング信号
１２３  アクティブピクセル第２フィールド
１２４  ブランキング信号
１３１  出力データ
１３２  出力データ
１３３  ブランキング信号
１４１  出力データ
１４２  出力データ
１４３  ブランキング信号
２０１  メモリ（ＦＩＦＯ）
２０２  入出力制御部２０２
２０３  制御部
２０４  アクティブ区間ＩＰ変換部
２０５  マルチプレクサ２０５
２０６  スケーラー
２１０  ブランキング区間ＩＰ変換部
２１１  １Ｈ遅延処理部（１Ｈ  Ｄｅｌａｙ）
２１２  黒ライン変換処理部（Ｂｌａｃｋ  Ｌｉｎｅ）
２１３  フィールド遅延処理部（Ｆｉｅｌｄ  Ｄｅｌａｙ）
２１４  フィールド遅延処理部（Ｆｉｅｌｄ  Ｄｅｌａｙ）
２１５  マルチプレクサ
【図１】
2007316459.tif 000003
【図２】
2007316459.tif 000004
【図７】
2007316459.tif 000005
【図１２】
2007316459.tif 000006
【図３】
2007316459.tif 000007
【図４】
2007316459.tif 000008
【図５】
2007316459.tif 000009
【図６】
2007316459.tif 000010
【図８】
2007316459.tif 000011
【図９】
2007316459.tif 000012
【図１０】
2007316459.tif 000013
【図１１】
2007316459.tif 000014
【手続補正書】
【提出日】平成19年4月23日(2007.4.23)
【手続補正１】
【補正対象書類名】明細書
【補正対象項目名】００５４
【補正方法】変更
【補正の内容】
【００５４】
処理対象となるインタレース信号は入力信号クロックに従って、メモリ（ＦＩＦＯ）２０１に入力される。また同期信号は入出力制御部２０２に入力される。メモリ（ＦＩＦＯ）２０１に入力されたデータは、アクティブ区間ＩＰ変換部２０４と、ブランキング区間ＩＰ変換部２１０とによって読み出され、それぞれの区間のＩＰ変換処理が実行される。なお、データ読み出し処理は、メモリ（ＦＩＦＯ）２０１に対する信号の入力タイミングを規定するクロックの倍以上のクロック速度で読み出しが実行される。これは、ブランキング区間ＩＰ変換部２１０において、各種のデータ遅延処理が実行され、その遅延処理による出力遅れを防止するためである。
【手続補正２】
【補正対象書類名】明細書
【補正対象項目名】００９４
【補正方法】変更
【補正の内容】
【００９４】
５１  表示部
６１  オリジナルライン
６２  補間ライン
１２１  アクティブピクセル第１フィールド
１２２  ブランキング信号
１２３  アクティブピクセル第２フィールド
１２４  ブランキング信号
１３１  出力データ
１３２  出力データ
１３３  ブランキング信号
１４１  出力データ
１４２  出力データ
１４３  ブランキング信号
２０１  メモリ（ＦＩＦＯ）
２０２  入出力制御部
２０３  制御部
２０４  アクティブ区間ＩＰ変換部
２０５  マルチプレクサ
２０６  スケーラー
２１０  ブランキング区間ＩＰ変換部
２１１  １Ｈ遅延処理部（１Ｈ  Ｄｅｌａｙ）
２１２  黒ライン変換処理部（Ｂｌａｃｋ  Ｌｉｎｅ）
２１３  フィールド遅延処理部（Ｆｉｅｌｄ  Ｄｅｌａｙ）
２１４  フィールド遅延処理部（Ｆｉｅｌｄ  Ｄｅｌａｙ）
２１５  マルチプレクサ